(57)【要約】【課題】ＬＥＤの特性として製造時の色温度及び輝度の個体差が大きい場合でも、製造されるＬＥＤ照明灯の色温度または輝度を平均化することのできるＬＥＤ照明灯の製造方法を提供する。【解決手段】複数のＬＥＤ１２を備えたＬＥＤ照明灯１０の製造方法であって、色温度を基準にすべてのＬＥＤ１２をグループ分けし、各グループに含まれるＬＥＤ１２の数の比率に応じて、１つのＬＥＤ照明灯１０で各グループのＬＥＤ１２をそれぞれ何個実装するのかを規定する実装比率を決定し、前記実装比率に従ってＬＥＤ照明灯１０にＬＥＤ１２を実装する。【選択図】図４
2013122827.tif 000002
【特許請求の範囲】
【請求項１】
複数のＬＥＤを備えたＬＥＤ照明灯の製造方法であって、
色温度を基準にすべてのＬＥＤをグループ分けし、
各グループに含まれるＬＥＤの数の比率に応じて、１つのＬＥＤ照明灯で各グループのＬＥＤをそれぞれ何個実装するのかを規定する実装比率を決定し、
前記実装比率に従ってＬＥＤ照明灯にＬＥＤを実装することを特徴とする、ＬＥＤ照明灯の製造方法。
【請求項２】
各グループのＬＥＤを実装する順序を規定する順列パターンを決定し、
前記順列パターンに従ってＬＥＤ照明灯にＬＥＤを実装することを特徴とする、請求項１記載のＬＥＤ照明灯の製造方法。
【発明の詳細な説明】
【技術分野】
【０００１】
この発明は、ＬＥＤ照明灯の製造方法に関し、特に、色温度または輝度を平均化することのできるＬＥＤ照明灯の製造方法に関するものである。
【背景技術】
【０００２】
近年、省エネなどの観点から各種のＬＥＤ照明灯が提案されている（例えば特許文献１参照）。こうしたＬＥＤ照明灯は複数のＬＥＤを実装したＬＥＤ基板を備えている。ＬＥＤ基板にＬＥＤを実装する際には、リールに巻き取られた形態で提供されたＬＥＤをパッケージごとに取り上げ、これを順次ＬＥＤ基板上に整列させて装填するようにしていた。
【先行技術文献】
【特許文献】
【０００３】
【特許文献１】特開２０１１−２１０７２９号公報
【発明の概要】
【発明が解決しようとする課題】
【０００４】
ここで、ＬＥＤの特性として、製造時の色温度及び輝度の個体差が大きく、一般的には２０％（基準値の上下１０％）程度の誤差が発生することがある。しかしながら、特に色温度に関しては、２０％の違いがあると（例えば５０００ケルビンと６０００ケルビンを比較すると）、全く異なる色として見えるため、目視でも違いが分かる程度に品質にばらつきが出てしまう。特に、ＬＥＤ照明灯は室内で複数本が並べて使用されるため、色温度や輝度にばらつきがあると、差が明確に分かってしまう。
【０００５】
こうした問題を回避するには、使用するＬＥＤの公差を小さく設定してもよいが、公差の範囲から外れたＬＥＤは廃棄することになるため、コスト増が避けられない。
【０００６】
そこで、本発明は、ＬＥＤの特性として製造時の色温度及び輝度の個体差が大きい場合でも、製造されるＬＥＤ照明灯の色温度または輝度を平均化することのできるＬＥＤ照明灯の製造方法を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載のＬＥＤ照明灯の製造方法は、複数のＬＥＤを備えたＬＥＤ照明灯の製造方法であって、色温度を基準にすべてのＬＥＤをグループ分けし、各グループに含まれるＬＥＤの数の比率に応じて、１つのＬＥＤ照明灯で各グループのＬＥＤをそれぞれ何個実装するのかを規定する実装比率を決定し、前記実装比率に従ってＬＥＤ照明灯にＬＥＤを実装することを特徴とする。
【００１０】
（請求項２）
請求項２に記載の発明は、上記した請求項１記載の発明の特徴点に加え、以下の点を特徴とする。
【００１１】
すなわち、各グループのＬＥＤを実装する順序を規定する順列パターンを決定し、前記順列パターンに従ってＬＥＤ照明灯にＬＥＤを実装することを特徴とする。
【発明の効果】
【００１２】
本発明は上記の通りであり、色温度を基準にすべてのＬＥＤをグループ分けし、各グループに含まれるＬＥＤの数の比率に応じて、１つのＬＥＤ照明灯で各グループのＬＥＤをそれぞれ何個実装するのかを規定する実装比率を決定し、前記実装比率に従ってＬＥＤ照明灯にＬＥＤを実装するので、製造されるＬＥＤ照明灯の色温度を平均化することができる。
【００１３】
また、各グループのＬＥＤを実装する順序を規定する順列パターンを決定し、前記順列パターンに従ってＬＥＤ照明灯にＬＥＤを実装するようにすれば、１つのＬＥＤ照明灯における色温度の局所的な偏りを解消することができる。
【図面の簡単な説明】
【００１４】
【図１】ＬＥＤ照明灯の（ａ）正面図、（ｂ）中間部を省略した側面図である。
【図２】ＬＥＤ照明灯を下から見た一部拡大分解図である。
【図３】ＬＥＤを色温度及び輝度によってグループ分けした表である。
【図４】実装比率を示す表である。
【図５】順列パターンを示す図である。
【発明を実施するための形態】
【００１５】
本実施形態に係るＬＥＤ照明灯１０は、図１に示すように、従来の蛍光灯と構造的に互換性のある直管形の照明灯であり、従来の蛍光灯用の灯具本体に接続可能となっている。
【００１６】
このＬＥＤ照明灯１０は、図２に示すように、複数のＬＥＤ１２を配設したＬＥＤ基板１１を備えている。本実施形態においては、１つのＬＥＤ照明灯１０に１１１個のＬＥＤ１２が実装されている。
【００１７】
こうしたＬＥＤ照明灯１０に実装されるＬＥＤ１２は、色温度及び輝度の個体差が大きいため、公差は大きくとられる傾向がある。本実施形態においては、色温度が５５００〜６５００Ｋ（ケルビン）、基準電流値（２０ｍＡ×３個＝６０ｍＡ）を成立させる為に必要な電圧値が３．１〜３．３Ｖ（ボルト）の範囲となるＬＥＤ１２を使用している。
【００１８】
このＬＥＤ１２をＬＥＤ照明灯１０に実装する際には、まず、色温度と基準電流値に必要な電圧値とを基準にすべてのＬＥＤ１２をグループ分けする。
【００１９】
本実施形態においては、図３に示すように、色温度が５５００Ｋ以上６０００Ｋ未満かつ基準電流値に必要な電圧値が３．１Ｖ以上３．２未満のグループＡと、色温度が５５００Ｋ以上６０００Ｋ未満かつ基準電流値に必要な電圧値が３．２Ｖ以上３．３以下のグループＢと、色温度が６０００Ｋ以上６５００Ｋ以下かつ基準電流値に必要な電圧値が３．１Ｖ以上３．２未満のグループＣと、色温度が６０００Ｋ以上６５００Ｋ以下かつ基準電流値に必要な電圧値が３．２Ｖ以上３．３以下のグループＤと、の４つのグループにグループ分けしている。本実施形態においては、このグループ分けによって、グループＡのＬＥＤ１２が６５００個、グループＢのＬＥＤ１２が３２００個、グループＣのＬＥＤ１２が２５００個、グループＤのＬＥＤ１２が１８００個であったとする。
【００２０】
次に、各グループに含まれるＬＥＤ１２の数の比率に応じて実装比率を決定する。実装比率とは、１つのＬＥＤ照明灯１０で各グループのＬＥＤ１２をそれぞれ何個実装するのかを規定する値である。
【００２１】
本実施形態においては、グループＡが６５００個、グループＢが３２００個、グループＣが２５００個、グループＤが１８００個であるので、この比率に可能な限り近似させてＬＥＤ１２の無駄をなくすためには、１つのＬＥＤ照明灯１０に実装する１１１個のＬＥＤ１２のうち、グループＡを５０個、グループＢを２６個、グループＣを２０個、グループＤを１５個とすればよい。このため、「グループＡ：グループＢ：グループＣ：グループＤ＝５０：２６：２０：１５」という実装比率が決定される。
【００２２】
この実装比率によれば、図４に示すように、各グループのＬＥＤ１２の個数と実装される使用個数との差が可能な限り小さく設定されており、可能な限り多くの本数のＬＥＤ照明灯１０が製造できる（本実施形態においては１２００本製造できる）とともに、ＬＥＤ１２が無駄なく使用できることが分かる。
【００２３】
なお、余ったＬＥＤ１２は、次回製造工程に回せばよい。すなわち、次回製造工程における実装比率の決定の際に、余ったＬＥＤ１２を組み入れればよい。
【００２４】
以上のように、実装比率が決定されることにより、１つのＬＥＤ照明灯１０で各グループのＬＥＤ１２がそれぞれ何個実装されるかが決定される。
【００２５】
次に、各グループのＬＥＤ１２を実装する順序を規定する順列パターンを決定する。このとき、各グループのＬＥＤ１２をＬＥＤ基板１１上の一箇所にかためて実装すると、１つのＬＥＤ照明灯１０における色温度の局所的な偏りが発生するため、なるべくこのような偏りが発生しないような順列パターンを決定する。
【００２６】
例えば、図５に示すような順列パターンが望ましい。この順列パターンにおいては、各グループのＬＥＤ１２ができるだけ等間隔となるように配置されており、各グループのＬＥＤ１２があわわれる順序も一定の規則性をもって配置されている。例えば、グループＡのＬＥＤ１２は、２個セットで間に２個又は３個の他のグループのＬＥＤ１２を挟んで配置される。また、グループＢのＬＥＤ１２は、間に３個又は４個の他のグループのＬＥＤ１２を挟んで配置される。
【００２７】
上記したように実装比率と順列パターンとが決定すると、この実装比率と順列パターンとを基にＬＥＤ装填用のプログラムが作成される。ＬＥＤ１２の実装はこのプログラムによって実行され、すべてのＬＥＤ照明灯１０が同じ実装比率及び順列パターンで製造される。
【００２８】
本実施形態は上記の通りであり、色温度を基準にすべてのＬＥＤ１２をグループ分けし、各グループに含まれるＬＥＤ１２の数の比率に応じて、１つのＬＥＤ照明灯１０で各グループのＬＥＤ１２をそれぞれ何個実装するのかを規定する実装比率を決定し、前記実装比率に従ってＬＥＤ照明灯１０にＬＥＤ１２を実装するので、製造されるＬＥＤ照明灯１０の色温度を平均化することができる。
【００２９】
また、各グループのＬＥＤ１２を実装する順序を規定する順列パターンを決定し、前記順列パターンに従ってＬＥＤ照明灯１０にＬＥＤ１２を実装するので、１つのＬＥＤ照明灯１０における色温度の局所的な偏りを解消することができる。
【００３０】
なお、上記した実施形態においては、実装比率を決定するに際し、色温度と基準電流値に必要な電圧値とを基準にしたが、これに限らない。例えば、色温度のみを基準として実装比率を決定してもよい。また、色温度に代えて、もしくは色温度と併せて、輝度（カンデラ値）を基準として実装比率を決定してもよい。
【符号の説明】
【００３１】
１０  ＬＥＤ照明灯
１１  ＬＥＤ基板
１２  ＬＥＤ
【図１】
2013122827.tif 000003
【図２】
2013122827.tif 000004
【図３】
2013122827.tif 000005
【図４】
2013122827.tif 000006
【図５】
2013122827.tif 000007